(57)【特許請求の範囲】
【請求項１】
紙幣が入金され、または紙幣が出金される紙幣入出金部と、
前記紙幣入出金部の下方に設けられ、前記紙幣入出金部に投入された異物を収納する異物収納部と、を備え、
前記異物収納部は、支軸を中心に開閉可能に設けられていることを特徴とする紙幣取扱装置。
【請求項２】
請求項１に記載の紙幣取扱装置において、
前記異物収納部は、前記紙幣入出金部を引出した後に開閉することを特徴とする紙幣取扱装置。
【請求項３】
請求項１または請求項２に記載の紙幣取扱装置において、
前記支軸は、前記異物収納部の一端に設けられ、
前記異物収納部の他端に、開作動時に異物を受止める落下防止溝を設けたことを特徴とする紙幣取扱装置。
【請求項４】
請求項３に記載の紙幣取扱装置において、
前記落下防止溝は、
前記異物収納部の閉作動時に異物を集積する底壁と、
前記底壁の前記支軸の反対側の端部に設けられ、前記異物収納部の開作動時に異物を受止める受け壁と、
前記受け壁の前記底壁の反対側の端部に設けられ、前記底壁に対向する対向壁と、を有することを特徴とする紙幣取扱装置。
【請求項５】
請求項４に記載の紙幣取扱装置において、
前記対向壁に、開口を設けたことを特徴とする紙幣取扱装置。
【請求項６】
請求項４または請求項５に記載の紙幣取扱装置において、
前記異物は硬貨であって、
前記対向壁の前記受け壁からの高さを、流通硬貨の中の最大直径の硬貨の半径より高く、前記最大直径の硬貨の直径より低く形成したことを特徴とする紙幣取扱装置。
【発明の詳細な説明】
【技術分野】
【０００１】
本発明は、紙幣の入出金を行う紙幣入出金部を備えた紙幣取扱装置に関する。
【背景技術】
【０００２】
一般に、紙幣処理機には、その上部に顧客が紙幣の入出金を行う紙幣入出金部が設けられている。この紙幣入出金部には通常紙幣が投入されるが、投入される紙幣に硬貨等の異物が混入している場合があるため、異物の投入に備えて、紙幣入出金部には異物除去手段が設けられている。
このような異物除去のために、従来の現金自動取引装置に設けられた紙幣処理機には、入金口に設けられた集積エリアの底部に紙幣を分離搬送するための搬送路を設け、その搬送路に硬貨の厚さより広い隙間で対向させた紙幣ガイドを設けると共に搬送路を略垂直に配置し、当該搬送路の下端部に硬貨を収容する硬貨受けを設け、投入される紙幣に混入した硬貨を、搬送ガイド間に案内させて硬貨受けに落下させている（例えば、特許文献１参照。）。
【先行技術文献】
【特許文献】
【０００３】
【特許文献１】特開平３−１４７０９２号公報（公報第２頁右上欄１０行−第３頁左上欄１７行、第１図）
【発明の概要】
【発明が解決しようとする課題】
【０００４】
しかしながら、上述した従来の技術においては、高傾斜の比較的長い紙幣ガイドを用いて混入した硬貨等の異物を硬貨受けに落下させているが、近年の小型化された紙幣処理機では、紙幣処理機の収容部の高さに制限があるため、異物を落下させる高傾斜の長いガイド部材を設けることができないという問題がある。
本発明は、上記の問題点を解決するためになされたもので、小型の紙幣処理機であっても、搭載することが可能な異物除去手段を提供することを目的とする。
【課題を解決するための手段】
【０００５】
本発明は、上記課題を解決するために、紙幣取扱装置が、紙幣が入金され、または紙幣が出金される紙幣入出金部と、前記紙幣入出金部の下方に設けられ、前記紙幣入出金部に投入された異物を収納する異物収納部と、を備え、前記異物収納部は、支軸を中心に開閉可能に設けられていることを特徴とする。
【発明の効果】
【０００６】
これにより、本発明は、紙幣取扱装置の高さを低く抑制することができると共に、異物の除去を容易に行うことができるという効果が得られる。
【図面の簡単な説明】
【０００７】
【図１】実施例１の現金処理装置の外観を示す説明図
【図２】実施例１の現金処理装置を示す説明図
【図３】実施例１の紙幣処理機を示す説明図
【図４】実施例１の紙幣入出金部を示す説明図
【図５】実施例１の異物トレーを示す説明図
【図６】実施例２の異物トレーを示す説明図
【発明を実施するための形態】
【０００８】
以下に、図面を参照して本発明による紙幣取扱装置の実施例について説明する。
【実施例１】
【０００９】
以下に、図１ないし図５を用いて本実施例の現金処理装置およびそれに搭載された紙幣処理機について説明する。
本実施例の紙幣取扱装置としての紙幣処理機１は、図１に示すように、現金処理装置２に搭載され、現金処理装置２における紙幣の入出金を取扱う機器である。
このような現金処理装置２は、百貨店やスーパーマーケット、コンビニエンスストア、小売店等の小売業の店舗に設置された店舗内の現金（紙幣と硬貨）を管理する小型の装置であって、店舗内の売場に設置されたレジスタ等に釣銭準備金を供給するときや売場における売上金を回収するとき等に用いられる。
【００１０】
本実施例の現金処理装置２には、図１、図２に示すように、操作表示部３、印刷部４、硬貨処理機５、紙幣処理機１、現金回収部６等が設けられている。
操作表示部３は、現金処理装置２の前面側に向けてＬＣＤ等の表示画面が設けられており、表示画面に入金された現金の計数結果や出金する釣銭準備金の金種別の内訳、店舗の管理者や店員、警備会社の輸送担当者等の係員に対する処理画面等を表示する機能を有する他、表示画面に設けられたタッチパネル等の入力手段により係員からの入力を受付ける機能等を有している。
印刷部４は、プリンタ等を備えており、現金処理装置２に対する入出金の履歴情報や、売上金の集計結果等を用紙に印刷して排出する機能等を有している。
【００１１】
硬貨処理機５は、上部ユニット５ａと下部ユニット５ｂとで構成され、入金時に硬貨投入口５ｃから投入された硬貨を受入れ、これを鑑別および計数して収納庫に収納し、出金時に釣銭準備金等の硬貨を収納庫から繰出し、これを計数して硬貨出金口５ｄから係員に引渡す機能を有しており、上部ユニット５ａと下部ユニット５ｂは、現金処理装置２に設けられたそれぞれの収納部から図示しないスライド機構により前面側に挿抜可能に構成されている。
現金回収部６は、警備会社の輸送担当者等が回収する紙幣が収納された紙幣回収庫６ａ（図２参照）や図示しない硬貨回収庫等を備えており、現金処理装置２に設けられた収納部から図示しないスライド機構により前面側に挿抜可能に構成されている。
【００１２】
本実施例の紙幣処理機１は、図２に示すように、入金時に、紙幣入出金部２０（詳細は後述する。）に投入された紙幣Ｐを鑑別部１１へ搬送し、鑑別部１１で鑑別、計数した紙幣Ｐを一時保留部１２に集積し、一時保留部１２に集積した紙幣Ｐの内訳や入金額等を操作表示部３に表示して入金額が確定されると、一時保留部１２に集積した紙幣Ｐを再度鑑別部１１へ搬送して金種等を鑑別し、これを紙幣収納庫１３に搬送して金種別に収納する機能を有すると共に、出金時に、釣銭準備金等の紙幣Ｐを各紙幣収納庫１３から繰出し、これを鑑別部１１で計数して紙幣入出金部２０に集積し、操作表示部３に表示した紙幣Ｐの内訳や出金額等が確定されると、紙幣入出金部２０から係員に引渡す機能等を有している。
【００１３】
また、紙幣処理機１は、紙幣入出金部２０、鑑別部１１、一時保留部１２およびこれらの間で紙幣Ｐを搬送する上部搬送路１６等が設けられた上部ユニット１ａと、各紙幣収納庫１３と、上部搬送路１６により搬送された紙幣Ｐを各紙幣収納庫１３へ搬送する下部搬送路１７とが設けられた下部ユニット１ｂとで構成される。
これらの上部ユニット１ａと下部ユニット１ｂは、図３に示すように、それぞれの収納部１８ａ、１８ｂの両側の側面に設けられたスライド機構１９により各収納部１８ａ、１８ｂから前面側に挿抜可能に構成されている（図３に示す矢印Ａ参照）。
【００１４】
本実施例の紙幣入出金部２０は、図４に示すように、入出金口２１、ステージ２２、ガイド部２３、異物検知センサ２４、シャッタ２６、分離集積機構２７、投入された紙幣Ｐに混入した異物（本実施例では、硬貨Ｃ）を収納する異物収納部としての異物トレー３０等を備えている。
入出金口２１は、紙幣処理機１の前面側から後面側に向けて下方に傾斜する箱体であって、その前面側に設けられた開口部から紙幣Ｐの投入や紙幣Ｐを引渡しが行われる。
【００１５】
また、入金口２１の後面の下部には、投入された紙幣Ｐに混入した異物をすり抜けさせて異物トレー３０に落下させるスリット部２１ａが形成されている。
ステージ２２は、入出金口２１の底面を構成する板状部材であって、入出金口２１から投入された紙幣Ｐおよび分離集積機構２７から放出された紙幣Ｐを集積する機能を有しており、図示しない昇降機構により昇降可能に構成されている。
また、ステージ２２の後面側には、投入された紙幣Ｐに混入した異物をすり抜けさせて異物トレー３０に落下させるスリット部２２ａが形成されている。
【００１６】
異物検知センサ２４は、発光部と受光部とを対向配置した光学式のセンサであって、ガイド部２３の異物トレー３０に向けた開口の口元に設けた図示しない透過穴に光軸を挿通させた状態で配置され、光軸を硬貨Ｃが遮断したことを受光部が検知して異物の落下を検知する。
シャッタ２６は、図４に示す矢印Ｂ方向に回動して、入出金口２１の前面側の開口部を開閉する機能を有しており、紙幣Ｐの投入時および引渡し時等に解放される。
【００１７】
分離集積機構２７は、紙幣Ｐの繰出方向およびその逆方向の集積方向に回転可能に構成されたフィードローラ２７ａ、フィードローラ２７ａと連動して同方向に回転し繰出時にステージ２２により押付けられた紙幣Ｐを上部搬送路１６の方向に送り出す繰出ローラ２７ｂ、集積方向にのみ回転可能に構成され繰出される紙幣Ｐを１枚毎に分離する分離ローラ２７ｃ、紙幣Ｐの集積時にフィードローラ２７ａと連動して集積方向にのみ回転し集積される紙幣Ｐを舌片により叩き落とす舌片ローラ２７ｄ等を備えており、舌片ローラ２７ｄは紙幣Ｐの繰出時に図示しない退避機構により繰出される紙幣Ｐの搬送経路から退避するように構成されている。
【００１８】
本実施例の異物トレー３０は、紙幣入出金部２０の下部で、ステージ２２のスリット部２２ａの下方に短いガイド部２３を介して配置され、図５に示すように、ガイド部２３への取付部３１の後面側の端部に設けられた支軸３２を中心に、図４に示す矢印Ｄ方向に回動して開閉可能に支持されており、上部ユニット１ａの前面側への引出し時に開作動（図４に示す実線参照）させて異物の除去を可能にする。
【００１９】
この異物トレー３０は、閉作動時（図４に示す二点鎖線参照）にスリット部２２ａをすり抜けて落下した異物を集積する底壁３３ａと、底壁３３ａの引出し方向に沿った両側の側部に立設され支軸３２の嵌合穴が設けられた両側の側壁３３ｂと、側壁３３ｂの間で底壁３３ａの閉作動時における後面側に立設された後壁３３ｃと、側壁３３ｂの間で底壁３３ａの閉作動時における前面側に立設され、開作動時に底壁３３ａ上に集積された異物の落下を受止める受け壁３３ｄと、受け壁３３ｄの先端、つまり底壁３３ａの反対側の端部を曲折して底壁３３ａに対向するように形成された対向壁３３ｅとで形成され、開作動時に下方に位置する底壁３３ａと受け壁３３ｄと対向壁３３ｅとで囲まれた「コ」の状の空間が、本実施例の落下防止溝３４として機能する。
【００２０】
この落下防止溝３４の対向壁３３ｅの受け壁３３ｄの内面からの高さ（異物トレー３０の開作動時における落下防止溝３４の深さ）は、異物を硬貨Ｃとした場合に、流通硬貨の中の最大直径の硬貨（日本国の場合は５００円硬貨）の半径より高く、最大直径の硬貨の直径より低く形成されており、開作動時における硬貨Ｃの視認性を向上させると共に硬貨Ｃの除去性を向上させている。
【００２１】
異物トレー３０の底壁３３ａの一方の側壁３３ｂ側には、異物トレー３０を開閉させるための把手３５が形成され、底壁３３ａの中央部には、支軸３２に挿通させたバネ部材としてのトーションスプリング３６の一端を支持する支持部３６ａが立設されている。トーションスプリング３６の他端は取付部３１に支持されており、異物トレー３０を閉作動方向に付勢している。
【００２２】
このような異物トレー３０を備えた紙幣入出金部２０を有する上部ユニット１ａは、現金処理装置２の高さ方向の中央部に挿抜可能に装着され（図２参照）、常時は、入出金口２１に投入された紙幣Ｐの計数収納処理や、釣銭準備金等として出金する紙幣Ｐの計数集積処理等における紙幣Ｐの入出金部位として機能する。
【００２３】
前記のような紙幣Ｐの処理中、例えば売上金の紙幣Ｐの入金時、異物となる硬貨Ｃが混入した紙幣Ｐが入出金口２１に投入された場合は、その硬貨Ｃは、図４に破線で示す矢印のように、入出金口２１の後面側に設けられたスリット部２１ａ、またはステージ２２の後面側に設けられたスリット部２２ａの隙間をすり抜けた後に、ガイド部２３に案内されて異物トレー３０の底壁３３ａ上に落下し、異物が集積される。
このとき、ガイド部２３に設けられた図示しない透過穴に挿通する異物検知センサ２４の光軸を落下中の硬貨Ｃが遮断すると、操作表示部３に設けられたＬＥＤ等のランプが点灯し、保守担当員等の係員に異物トレー３０への硬貨Ｃ等の異物の集積を報知する。
【００２４】
この場合に、係員への報知は、音声ガイダンスによる報知や、操作表示部３の表示画面への異物集積の旨の文言等の表示による報知であってもよい。
このような異物として集積された硬貨Ｃを除去する場合は、異物集積の報知を認識した係員が、現金処理装置２から紙幣処理機１の上部ユニット１ａを前面側に引出し、その紙幣入出金部２０の底部に設けられた異物トレー３０を把手３５を用いて開作動させる。
【００２５】
このとき、本実施例の異物トレー３０には、開作動時に下方に位置する部位に落下防止溝３４が設けられているので、閉作動時に底壁３３ａ上に集積された硬貨Ｃは底壁３３ａの壁面に沿って自重により落下防止溝３４の方向へ滑り落ち、受け壁３３ｄに係止される。この係止された硬貨Ｃは、対向壁３３ｅまたは底壁３３ａにもたれかかった状態で停止するので、硬貨Ｃの落下防止溝３４からの落下が防止される。
このように、本実施例の異物トレー３０は、ステージ２２のスリット部２２ａから落下した異物である硬貨Ｃを、直接底壁３３ａ上に集積し、異物トレー３０を開作動させて異物を除去するので、紙幣処理機１の高さを低く抑制することができる。
【００２６】
また、本実施例の異物トレー３０においては、開作動時に、対向壁３３ｅを有する落下防止溝３４で異物である硬貨Ｃを係止するので、例え異物トレー３０を９０度以上に開作動させたとしても、落下防止溝３４からの硬貨Ｃの落下が防止される。
また、本実施例の落下防止溝３４には、硬貨Ｃの半分程度の高さの対向壁３３ｅが設けられているので、落下防止溝３４に係止された硬貨Ｃを容易に視認することができると共に、当該硬貨Ｃを容易に除去することができる。
【実施例２】
【００２７】
以下に、図６を用いて本実施例の異物トレーについて説明する。なお上記実施例１と同様の部分は、同一の符号を付してその説明を省略する。
本実施例の異物トレー３０には、図６に示すように、落下防止溝３４の対向壁３３ｅに複数の開口４１が形成されている。
【００２８】
このように、本実施例では、上記実施例１と同様の効果に加えて、落下防止溝３４の対向壁３３ｅに複数の開口４１を形成したので、開作動時に対向壁３３ｅの高さに隠れるような小さい異物、例えばクリップ等が落下防止溝３４に係止されていたとしても、開口４１から視認することが可能になり、その開口４１を利用して当該異物を除去することも可能になる。
【符号の説明】
【００２９】
１    紙幣処理機
１ａ、５ａ  上部ユニット
１ｂ、５ｂ  下部ユニット
２    現金処理装置
３    操作表示部
４    印刷部
５    硬貨処理機
５ｃ  硬貨投入口
５ｄ  硬貨出金口
６    現金回収部
１１  鑑別部
１２  一時保留部
１３  紙幣収納庫
１６  上部搬送路
１７  下部搬送路
１８ａ、１８ｂ  収納部
１９  スライド機構
２０  紙幣入出金部
２１  入出金口
２１ａ、２２ａ  スリット部
２２  ステージ
２３  ガイド部
２４  異物検知センサ
２６  シャッタ
２７  分離集積機構
２７ａ  フィードローラ
２７ｂ  繰出ローラ
２７ｃ  分離ローラ
２７ｄ  舌片ローラ
３０  異物トレー
３１  取付部
３２  支軸
３３ａ  底壁
３３ｂ  側壁
３３ｃ  後壁
３３ｄ  受け壁
３３ｄ  対向壁
３４  落下防止溝
３５  把手
３６  トーションスプリング
３６ａ  支持部
４１  開口
【図１】
0006435899.tif 000002
【図２】
0006435899.tif 000003
【図３】
0006435899.tif 000004
【図４】
0006435899.tif 000005
【図５】
0006435899.tif 000006
【図６】
0006435899.tif 000007